(57)【要約】【課題】半導体メモリカードを使用したハードディスク互換の記憶装置を提供すること。【解決手段】記憶装置は、ハードディスクと同じ形状の筐体と、プリント基板と、プリント基板の端部に固着され、筐体の側面に露出した標準的ハードディスクと同じ形状の表面実装型の外部コネクタと、プリント基板の中央部内側に固着され、外部コネクタとプリント基板によって所定の接続パターンにて接続されている表面実装型のメモリカード用コネクタと、メモリカード用コネクタに装着された、ハードディスク互換インターフェイス機能を備えた不揮発性メモリカードとを備える。ハードディスクインターフェイスを介してデータの移動を行う電子装置に使用可能であり、安価で衝撃に強い。【選択図】      図１
2004206183.tif 000002
【特許請求の範囲】
【請求項１】
ハードディスクと同じ形状の筐体と、
前記筐体の１つの面を覆うように装着されたプリント基板と、
前記プリント基板の端部に固着され、前記筐体の側面に露出した標準的ハードディスクと同じ形状の表面実装型の外部コネクタと、
前記プリント基板の中央部内側に固着され、前記外部コネクタと前記プリント基板によって所定の接続パターンにて接続されている表面実装型のメモリカード用コネクタと、
前記メモリカード用コネクタに装着された、ハードディスク互換インターフェイス機能を備えた不揮発性メモリカードと
を備えたことを特徴とする記憶装置。
【請求項２】
前記メモリカードのコネクタと反対側の縁が前記筐体の内側より所定の距離以内に位置するように、前記表面実装型の不揮発性メモリカード用コネクタが配置されていることを特徴とする請求項１に記載の記憶装置。
【発明の詳細な説明】
【０００１】
【発明の属する技術分野】
本発明は記憶装置に関し、特に半導体メモリカードを使用したハードディスク互換の記憶装置に関するものである。
【０００２】
【従来の技術】
従来、パソコンや電子装置の記憶装置としてハードディスク装置が使用されており、例えばＥＩＤＥ（Enhanced Integrated Dorive Electronics）などのようにコネクタの形状や信号種別等のインターフェイスが標準化されていた。そして、電子装置においては、データやプログラムの更新を行う場合に、新しいデータやプログラムを記憶させたハードディスクを電子装置に装着して更新を行うものがあった。
【０００３】
【発明が解決しようとする課題】
ハードディスク装置は容量は大きいが高価であり、衝撃に弱いという問題点があった。また近年、フラッシュメモリを使用した不揮発性のメモリカードが普及している。このメモリカードは容量は少ないが安価であり、衝撃に強いので携帯に適している。しかし、ハードディスク用のインターフェイスしか装備されておらず、メモリカード用のインターフェイスのいない装置には使用できないという問題点があった。
【０００４】
本発明の目的は、前記のような従来技術の問題点を解決し、半導体メモリカードを使用したハードディスク互換の記憶装置を提供することにある。
【０００５】
【課題を解決するための手段】
本発明の記憶装置は、ハードディスクと同じ形状の筐体と、前記筐体の１つの面を覆うように装着されたプリント基板と、前記プリント基板の端部に固着され、前記筐体の側面に露出した標準的ハードディスクと同じ形状の表面実装型の外部コネクタと、前記プリント基板の中央部内側に固着され、前記外部コネクタと前記プリント基板によって所定の接続パターンにて接続されている表面実装型のメモリカード用コネクタと、前記メモリカード用コネクタに装着された、ハードディスク互換インターフェイス機能を備えた不揮発性メモリカードとを備えたことを特徴とする。
【０００６】
本発明によれば、標準のハードディスクインターフェイスを介してデータの移動を行う電子装置に使用可能であり、安価で衝撃に強い。
【０００７】
【発明の実施の形態】
以下、本発明の実施の形態を詳細に説明する。図１は、本発明の記憶装置の構成を示すブロック図である。実施例においては、フラッシュメモリを使用した不揮発性のメモリカードの規格の１つであるコンパクトフラッシュ（登録商標）カード（以下ＣＦカードと記す）１１を使用する。
【０００８】
公知のＣＦカード１１にはフラッシュメモリ１２およびコントローラ１３が内蔵されている。ＣＦカード１１は、コネクタ等の物理形状は固有のものであるが、電気的には内蔵されているコントローラ１３の制御によって、パソコン等における標準のハードディスク装置のインターフェイスであるＥＩＤＥ（ATA、ATAPI）と同一の機能を有するインターフェイスを備えている。
【０００９】
本発明の記憶装置は、外形は標準的な２．５インチハードディスク装置と同じサイズのパッケージ（筐体）１０を使用し、コネクタも標準のＩＤＥインターフェイスに準拠した４４ピンのコネクタ１４を備えている。そして内部にはＣＦカード１１が内蔵され、ＣＦカードのコネクタ端子と外部インターフェイス用のコネクタ１４の端子間が所定の接続パターン１５にて接続されている。
【００１０】
図２は、本発明の記憶装置の構成を示す平面図および側面図である。パッケージ１０の形状は標準的な２．５インチサイズのハードディスクドライブと同一の形状であり、コネクタも標準のＩＤＥインターフェイスに準拠した４４ピンのコネクタ１４を備えている。なお、コネクタ１４はマスター／スレーブの指定ピンも含んでいる。パッケージ１０の解放面にはプリント基板２０がネジ２１によって固着されている。
【００１１】
図３は、本発明の記憶装置のプリント基板２０の構成を示す平面図および側面図である。プリント基板２０にはＩＤＥインターフェイス用のコネクタ１４およびＣＦカード１１用のコネクタ２２が実装されている。これらのコネクタは表面実装型のコネクタである。コネクタ２２にはＣＦカード１１が装着されている。そして、プリント基板２０の領域２３において２つのコネクタ１４、２２の間が所定のプリント接続パターンで接続されている。
【００１２】
図４は、本発明の記憶装置の結線構成を示す表である。なお、ＣＦカードのコネクタ仕様およびＥＩＤＥのコネクタ仕様は共に公知であり、これらの間の接続方法も公知である。
【００１３】
ＣＦカード１１は、コネクタ２２にＣＦカード１１を装着し、プリント基板２０をパッケージ（筐体）１０に固着した場合に、ＣＦカード１１のコネクタと反対側の縁がパッケージ（筐体）１０の内側より所定の距離以内に位置するように、ＣＦカード用コネクタ２２が配置されている。この所定の距離は、ＣＦカードがこの距離だけコネクタ２２から抜けても接続、動作が維持できる距離とする。これによって、振動等によってパッケージ内でＣＦカード１１がコネクタ２２から抜けて動作不能となるのを防止できる。
なお、容量を変更したい場合や予めデータが書き込まれたＣＦカードを使用したい場合には、基板２０を外すことによりＣＦカード１１を交換可能である。
【００１４】
以上、本発明の実施例を開示したが、本発明には下記のような変形例も考えられる。実施例においては、ＣＦカードを使用する例を開示したが、ハードディスク互換インターフェイスを有する不揮発性メモリカードであれば、任意のものを使用可能である。また、装置側インターフェイスがＥＩＤＥである例を開示したが、これも互換インターフェイスを有する不揮発性メモリカードがあれば、公知の任意のインターフェイスに適用可能である。
【００１５】
【発明の効果】
以上述べたように、本発明の記憶装置はハードディスクインターフェイスを有する任意の電子装置に使用可能であり、安価で衝撃に強いので、装置の設置場所へ出向いてデータやプログラムの更新処理を行う場合などにおいて取り扱いが容易であり、故障が減少するという効果がある。
【図面の簡単な説明】
【図１】本発明の記憶装置の構成を示すブロック図である。
【図２】本発明の記憶装置の構成を示す平面図および側面図である。
【図３】本発明の記憶装置の基板の構成を示す平面図および側面図である。
【図４】本発明の記憶装置の結線構成を示す表である。
【符号の説明】
１０…パッケージ、１１…ＣＦカード、１２…フラッシュメモリ、１３…コントローラ、１４…外部コネクタ、１５…接続パターン、２０…プリント基板、２１…ネジ、２２…カードコネクタ
【図１】
2004206183.tif 000003
【図２】
2004206183.tif 000004
【図３】
2004206183.tif 000005
【図４】
2004206183.tif 000006